(57)【要約】【課題】平板蛍光ランプ内部の温度分布を均一にして暗部及びピンク化現象の発生を抑制し、安定性及び耐久性を向上させた平板蛍光ランプ及びこれを備えた表示装置を提供する。【解決手段】複数の放電空間を有し、光を発生するランプ本体７６０と、ランプ本体７６０の互いに対向する両端部にそれぞれ形成された電極７６８と、ランプ本体７６０の背面に形成された複数の冷点部７６３と、を含んでいる。【選択図】図１
2007220657.tif 000002
【特許請求の範囲】
【請求項１】
複数の放電空間を有し、光を発生するランプ本体と、
前記ランプ本体の互いに対向する両端部にそれぞれ形成された電極と、
前記ランプ本体の一の面に形成された複数の冷点部と、
を含むことを特徴とする平板蛍光ランプ。
【請求項２】
前記ランプ本体は、
前記放電空間を形成する複数のチャンネル部と前記複数のチャンネル部の間を画定するする複数の隔壁部を形成する光源用前面基板と、
前記光源用前面基板に対向して配置された光源用背面基板と、を含み、
前記光源用前面基板及び前記光源用背面基板は、
前記電極が形成された第１側面及び第２側面と、
前記第１側面及び前記第２側面と交差すると共に、前記複数のチャンネル部と平行な第３側面及び第４側面を有し、
前記複数の冷点部は、
前記光源用背面基板の前記光源用前面基板と対向する面と反対側の面に前記複数のチャンネル部に対応して形成されたことを特徴とする請求項１に記載の平板蛍光ランプ。
【請求項３】
前記複数の冷点部は、それぞれ等間隔で配置されたことを特徴とする請求項２に記載の平板蛍光ランプ。
【請求項４】
前記複数の冷点部は、前記第１側面及び前記第２側面に近づくにつれて間隔が狭くなるように配置され、遠ざかるにつれて間隔が広くなるように配置されたことを特徴とする請求項２に記載の平板蛍光ランプ。
【請求項５】
前記複数の冷点部は、前記第３側面から予め設定された距離内にのみ配置され、
前記予め設定された距離は、前記第３側面から前記第４側面までの長さの１／２〜１１／１２であることを特徴とする請求項２に記載の平板蛍光ランプ。
【請求項６】
前記複数のチャンネル部のうち、前記第３側面から予め設定された距離に位置したチャンネル部に対応して配置された前記冷点部の数が最も多く、
前記チャンネル部から遠ざかるにつれて一つのチャンネル部に対応して配置された前記冷点部の数が次第に減少し、
前記予め設定された距離は、前記第３側面から前記第４側面までの長さの１／４〜２／５であることを特徴とする請求項２に記載の平板蛍光ランプ。
【請求項７】
前記電極は、外部電極であることを特徴とする請求項１に記載の平板蛍光ランプ。
【請求項８】
前記冷点部は、カーボンブラックまたは金属膜で形成されたことを特徴とする請求項１に記載の平板蛍光ランプ。
【請求項９】
前記冷点部は、パターニングマスクを使用したスプレー法で形成したことを特徴とする請求項１に記載の平板蛍光ランプ。
【請求項１０】
前記冷点部は、スクリーンプリンティング法で形成されたことを特徴とする請求項１に記載の平板蛍光ランプ。
【請求項１１】
前記冷点部の厚さは、０．１〜１ｍｍであることを特徴とする請求項１に記載の平板蛍光ランプ。
【請求項１２】
前記冷点部は、直径が１〜５ｍｍの円形に形成されたことを特徴とする請求項１に記載の平板蛍光ランプ。
【請求項１３】
画像を表示する表示パネルと、
前記表示パネルに光を供給する平板蛍光ランプと、
前記表示パネル及び前記平板蛍光ランプを収納する収納部材と、
を含み、
前記平板蛍光ランプは、
複数の放電空間を有し、光を発生するランプ本体と、
前記ランプ本体の互いに対向する両端部に形成された電極と、
前記ランプ本体の一の面に形成された複数の冷点部と、
を含む表示装置。
【請求項１４】
前記ランプ本体は、
前記放電空間を形成する複数のチャンネル部と前記複数のチャンネル部の間を区画する複数の隔壁部が形成された光源用前面基板と、
前記光源用前面基板に対向して配置された光源用背面基板と、を含み、
前記光源用前面基板及び前記光源用背面基板は、前記電極が形成された第１側面及び第２側面と前記第１側面及び第２側面と交差すると共に、前記複数のチャンネル部と平行な第３側面及び第４側面を有し、
前記複数の冷点部は、前記光源用背面基板の前記光源用前面基板と対向する面と反対側の面に前記複数のチャンネル部に対応して形成されたことを特徴とする請求項１３に記載の表示装置。
【請求項１５】
前記複数の冷点部は、等間隔に配置されたことを特徴とする請求項１４に記載の表示装置。
【請求項１６】
前記複数の冷点部は、前記第１側面及び前記第２側面に近づくにつれて間隔が狭く配置され、遠ざかるにつれて間隔が広く配置されたことを特徴とする請求項１４に記載の表示装置。
【請求項１７】
前記複数の冷点部は、前記第３側面から予め設定された距離内にのみ配置され、
前記予め設定された距離は、前記第３側面から前記第４側面までの長さの１／２〜１１／１２であることを特徴とする請求項１４に記載の表示装置。
【請求項１８】
前記複数のチャンネル部の中で前記第３側面から予め設定された距離に位置したチャンネル部に対応して配置された前記冷点部の数が最も多く、
前記チャンネル部から遠ざかるにつれて一つのチャンネル部に対応して配置された前記冷点部の数が次第に減少し、
前記予め設定された距離は、前記第３側面から前記第４側面までの長さの１／４〜２／５であることを特徴とする請求項１４に記載の表示装置。
【請求項１９】
前記平板蛍光ランプは、作動時前記各チャンネル部の温度が実質的に均一であることを特徴とする請求項１４に記載の表示装置。
【請求項２０】
前記冷点部は、直径が１〜５ｍｍの円形に形成され、その厚さが０．１〜１ｍｍに形成されたことを特徴とする請求項１３に記載の表示装置。
【発明の詳細な説明】
【技術分野】
【０００１】
本発明は、平板蛍光ランプ及びこれを備えた表示装置に関し、より詳しくは、安定性及び耐久性を向上させた平板蛍光ランプ及びこれを備えた表示装置に関する。
【背景技術】
【０００２】
表示装置には多様な種類があり、その中でも、急速に発展している半導体技術を中心に小型化及び軽量化され、性能が更に向上した液晶表示装置（ＬＣＤ）が代表的な表示装置である。
【０００３】
液晶表示装置は小型化、軽量化、及び低電力消費化などの利点を有し、ブラウン管（ＣＲＴ）の欠点を克服できる代替手段として注目され、現在では表示装置を要する携帯電話やＰＤＡなどのような小型製品だけでなく、大型製品であるモニターやテレビ（ＴＶ）などにも利用されるなど、表示装置を要するほとんどの機器に用いられている。
【０００４】
液晶表示装置は、自ら発光できない受光型表示パネルであるため、表示パネルの背面に光を供給するバックライトアセンブリーを備えている。デジタルＴＶなどの大型液晶表示装置は、複数の管型ランプが用いられたバックライトアセンブリーを備えている。しかしながら、多くの部品が使用されるため、組立工程が複雑化してしまうという問題がある。また、表示パネルに光を均一に供給するのが難しいため、均一度が低いという問題がある。
【０００５】
従って、近年、液晶表示装置の寸法が大きくなるほど高い輝度と優れた画面均一度とを確保するのが何よりも重要視されているため、管型ランプの欠点を補完するために平板蛍光ランプのような面光源ユニットを採用した表示装置が開発されている。
【０００６】
しかしながら、表示装置は通常立てて使用するため、面光源ユニット内部から発生した熱により、立てられた平板蛍光ランプの上部は比較的に高温となり下部は比較的に低温となる。また、電極が形成された部分が他の部分に比べて相対的に高い温度を有するようになる。従って、従来の面光源ユニットにおいては内部の温度分布が均一でない問題があった。
【０００７】
面光源ユニットは、主に水銀を含んだ放電ガスを用いるが、面光源ユニット内部の温度分布が不均一になれば放電ガスに含まれた水銀が温度の低い所に集まり、温度の高い所は水銀が不足して暗くなり暗部が発生する。また、このような現象が著しく発生する場合、水銀が部分的に吸着されて面光源ユニットの一部がピンク色になる（ピンク化現象）などの問題が生じる。
【発明の開示】
【発明が解決しようとする課題】
【０００８】
本発明は、上記問題を解決するために成されたものであって、平板蛍光ランプ内部の温度分布を均一にして暗部及びピンク化現象の発生を抑制し、安定性及び耐久性を向上させた平板蛍光ランプ及びこれを備えた表示装置を提供することを目的とする。
【課題を解決するための手段】
【０００９】
本発明による平板蛍光ランプは、複数の放電空間に分割されて光を発生するランプ本体、前記ランプ本体の互いに対向する両端部にそれぞれ形成された電極、そして前記ランプ本体の背面に形成された複数の冷点部を含む。
【００１０】
前記ランプ本体は、互いに対向配置されて前記放電空間を形成する複数のチャンネル部と前記複数のチャンネル部の間を区画する複数の隔壁部を形成する光源用前面基板及び光源用背面基板を含み、前記光源用前面基板及び前記光源用背面基板はそれぞれ前記電極が形成された第１側面及び第２側面と、前記第１側面及び第２側面と交差しながら前記複数のチャンネル部と並行になった第３側面及び第４側面を有し、前記複数の冷点部は前記複数のチャンネル部に対応して前記光源用背面基板の背面に形成できる。
【００１１】
前記複数の冷点部は等間隔に配置できる。
【００１２】
前記複数の冷点部は、前記第１側面及び前記第２側面に近いほど間隔が狭く配置され、遠くなるほど間隔を広く配置できる。
【００１３】
前記複数の冷点部は、前記第３側面から予め設定された距離以内にだけ配置され、前記予め設定された距離は、前記第３側面から前記第４側面までの長さの１／２〜１１／１２にできる。
【００１４】
前記複数のチャンネル部の中で前記第３側面から予め設定された距離に位置したチャンネル部に対応して配置された前記冷点部の数が最も多くて、前記チャンネル部から遠くなるほど一つのチャンネル部に対応して配置された前記冷点部の数が段階的に減少し、前記予め設定された距離は、前記第３側面から前記第４側面までの長さの１／４〜２／５にできる。
【００１５】
前記電極は、外部電極であることができる。
【００１６】
前記冷点部は、カーボンブラックまたは金属膜で形成することができる。
【００１７】
前記冷点部は、パターニングマスクを用いたスプレー法で形成することができる。
【００１８】
前記冷点部は、スクリーンプリンティング法で形成することができる。
【００１９】
前記冷点部の厚さは、０．１〜１ｍｍであることができる。
【００２０】
前記冷点部は、直径が１〜５ｍｍの円形に形成することができる。
【００２１】
また、本発明による表示装置は、画像を表示する表示パネル、前記表示パネルに光を供給する平板蛍光ランプ、及び前記表示パネル及び前記平板蛍光ランプを収納する収納部材を含み、前記平板蛍光ランプは複数の放電空間に分割されて光を発生するランプ本体、前記ランプ本体の互いに対向する両端部に形成された電極、そして前記ランプ本体の背面に形成された複数の冷点部を含む。
【００２２】
前記ランプ本体は互いに対向配置されて前記放電空間を形成する複数のチャンネル部と前記複数のチャンネル部の間を区画する複数の隔壁部を形成する光源用前面基板及び光源用背面基板を含み、前記光源用前面基板及び前記光源用背面基板はそれぞれ前記電極が形成された第１側面及び第２側面と、前記第１側面及び第２側面と交差しながら前記複数のチャンネル部と並行になった第３側面及び第４側面を有し、前記複数の冷点部は前記複数のチャンネル部に対応して前記光源用背面基板の背面に形成することができる。
【００２３】
前記複数の冷点部は等間隔に配置することができる。
【００２４】
前記複数の冷点部は、前記第１側面及び前記第２側面に近いほど間隔が狭く配置され、遠くなるほど間隔を広く配置することができる。
【００２５】
前記複数の冷点部は前記第３側面から予め設定された距離以内にだけ配置され、前記予め設定された距離は前記第３側面から前記第４側面までの長さの１／２〜１１／１２であることができる。
【００２６】
前記複数のチャンネル部の中で前記第３側面から予め設定された距離に位置したチャンネル部に対応して配置された前記冷点部の数が最も多く、前記チャンネル部から遠くなるほど一つのチャンネル部に対応して配置された前記冷点部の数が段階的に減少し、前記予め設定された距離は、前記第３側面から前記第４側面までの長さの１／４〜２／５であることができる。
【００２７】
前記冷点部は直径が１〜５ｍｍで厚さが０．１〜１ｍｍの円形に形成することができる。
【発明の効果】
【００２８】
本発明によれば、水銀が一部領域に偏って起こる平板蛍光ランプの暗部及びピンク化現象の発生を抑制することができるので、平板蛍光ランプの安定性及び耐久性を向上させることができる。
【００２９】
具体的には、ランプ本体の背面に冷点部を形成して人為的にランプ本体内部の温度を調節することによって、ランプ本体の上下部間に温度偏差を減らすことができる。従って、それぞれのチャンネル部の水銀蒸気圧を比較的に均等に維持することができるようになる。この結果、温度の高くなった所から低くなった所に移動している放電ガスに含まれた水銀が、ランプ本体の背面に均一に配置されたそれぞれの冷点部の付近に集まるため、各チャンネル部間の水銀移動を抑制して水銀の分布が特定部分に偏ることを防止することができる。  また、本発明によれば、熱が多く発生する電極に近いほど冷点部を稠密に配置してランプ本体の全体的な内部温度をより効果的に均一に調節することができる。
【００３０】
また、本発明によれば、通常は立てて使用される平板蛍光ランプにおいて、下部は上部と比較して相対的に低温であるため、上部にだけ冷点部を配置して上下部間の温度偏差を効果的に減らすことができる。
【００３１】
また、本発明によれば、最も高い温度を有するチャンネル部に対応して最も多くの数の冷点部を配置し、最も高い温度を有するチャンネル部から遠ざかるにつれて冷点部の数を段階的に減らして配置することによって、ランプ本体内部の全体的な温度偏差をさらに効果的に減らすことができる。
【００３２】
従って、平板蛍光ランプの作動時にランプ本体内部の水銀分布をさらに均等に維持することができて、平板蛍光ランプの暗部及びピンク化現象の発生をさらに効果的に抑制できる。
【００３３】
また、本発明によれば、比較的に簡素な工程でランプ本体の背面に冷点部を付着形成することができるため、平板蛍光ランプの生産性を低下せずに安定性及び耐久性を向上させることができる。
【００３４】
また、本発明によれば、前記平板蛍光ランプを備えた安定性及び耐久性を向上させた表示装置を提供することができる。
【発明を実施するための最良の形態】
【００３５】
以下、本発明に係る平板蛍光ランプ及びこれを備えた表示装置を、第１実施形態〜第４実施形態に分けて添付図を参照して詳細に説明する。以下に説明する実施形態は、本発明を例示したものであって、本発明がこれに限定されるものではない。
【００３６】
以下では、本発明を明確に説明するために、説明上不要な部分は省略し、明細書全体にわたって同一または類似する構成要素については同一参照符号を付してある。
【００３７】
また、各実施形態において、同一構成を有する構成要素については同一符号を使用して代表的に第１実施形態で説明し、その他の実施形態では第１実施形態と同じ構成についての説明は重複記載を避けるため省略し、異なる構成についてだけ説明する。
【００３８】
[第１実施形態]
図１は本発明の第１実施形態に係る平板蛍光ランプ７６を示し、図２は図１の平板蛍光ランプ７６の背面を示したものである。
【００３９】
図１に示したように、平板蛍光ランプ７６は、複数の放電空間に分割されて光を発生するランプ本体７６０と、ランプ本体７６０の互いに対向する両端部に形成された電極７６８と、ランプ本体７６０の背面（光源用背面基板７６２側）に形成された冷点部７６３を含む。ここで、電極７６８は外部電極が用いることができる。
【００４０】
ランプ本体７６０は、互いに対向して配置され、放電空間を形成する複数のチャンネル部７６１１と、隣接するチャンネル部７６１１の相互間を区画する複数の隔壁部７６１２と、チャンネル部７６１１と隔壁部７６１２とが形成されている光源用前面基板７６１及び光源用背面基板７６２を含む。
【００４１】
隔壁部７６１２は、具体的には、互いに隣接するチャンネル部７６１１が接する部分、すなわち、一のチャンネル部７６１１と当該一のチャンネル部７６１１と隣接する他のチャンネル部７６１１とを実質的に区画するものである。平板蛍光ランプ７６が有するチャンネル部７６１１の数は図１に示したものに限定されず、チャンネル部７６１１の数は平板蛍光ランプ７６の種類及び大きさによって多様に変更することができる。ここで、複数の冷点部７６３は、複数のチャンネル部７６１１に対応するように光源用背面基板７６２の背面に形成することができる。
【００４２】
チャンネル部７６１１内の放電空間には水銀を含んだ放電ガスが充電され、電極によって放電される。放電ガスは、水銀（Ｈｇ）以外にもネオン（Ｎｅ）とアルゴン（Ａｒ）をさらに含むことができる。
【００４３】
また、図２に示したように、電極７６８はランプ本体７６０の第１側面ａ及び第２側面ｂに形成され、複数のチャンネル部７６１１は第１側面ａ及び第２側面ｂと交差する第３側面ｃ及び第４側面ｄと平行に形成される。ここで、平板蛍光ランプ７６は、一般的に、モニター及びＴＶなどのような製品に装着された重厚長大型表示装置に主に用いられるため、通常は長さが短い周縁が縦方向になるように、地球重力に合わせて、立てて使用される。従って、ランプ本体７６０の第１側面ａ及び第２側面ｂはそれぞれ左右側面となって、第３側面ｃは上部側面となり、第４側面ｄは下部側面となる。
【００４４】
複数の冷点部７６３は、それぞれのチャンネル部７６１１に対応して等間隔に配置される。ここで、冷点部７６３は、放熱性の高い物資、すなわち、熱伝導性が高い物質を含んで形成される。従って、冷点部７６３はカーボンブラックまたは金属膜などのような素材で形成することが好ましい。
【００４５】
そして、冷点部７６３の数は、平板蛍光ランプ７６及びチャンネル部７６１１の大きさに応じて多様に変更することができる。
【００４６】
このように、ランプ本体７６０の背面に冷点部７６３を形成して人為的にランプ本体７６０内部の温度を調節することによって、ランプ本体７６０の上下部間の温度偏差を減らすことができる。従って、それぞれのチャンネル部７６１１の水銀蒸気圧を比較的に均等に維持することができる。つまり、温度の高くなった所から低くなった所に移動している放電ガスに含まれた水銀が、ランプ本体７６０の背面に均一に配置された冷点部７６３それぞれの付近に集まるため、各チャンネル部７６１１間の水銀移動を抑制して水銀の分布が特定部分に偏ることを防止することができる。故に、平板蛍光ランプ７６の暗部及びピンク化現象の発生を抑制できる。
【００４７】
また、冷点部７６３は円形に形成されることが温度を調節して水銀の移動を抑制するために有利である。ここで、冷点部７６３はチャンネル部７６１１の大きさを考慮して１〜５ｍｍの直径を有することが好ましい。冷点部７６３の直径が１ｍｍより小さくても５ｍｍより多きくても、温度調節効果が低下する場合があるからである。
【００４８】
また、冷点部７６３は０．１〜１ｍｍの厚さを有することが好ましい。冷点部７６３の厚さが０．１ｍｍより薄いと、ランプ本体７６０内部の熱を放出し温度を調節する効果が低下する。また、冷点部７６３の厚さが１ｍｍより厚いと、平板蛍光ランプ７６の全体的な厚さが厚くなってしまうなどの問題が生じる。
【００４９】
以下、光源用背面基板７６２の背面に冷点部７６３を形成する方法について詳細に説明する。
【００５０】
ランプ本体７６０の背面に付着形成される冷点部７６３は、パターニングマスクを用いたスプレー法で形成することができる。つまり、ランプ本体７６０の背面に形成しようとする複数の冷点部７６３と同一パターンを有するパターニングマスクを製作した後、ランプ本体７６０の背面に対し、スプレー法で熱伝導性が高い物質をスプレー（噴霧）して冷点部７６３を形成する方法である。また、冷点部７６３はスクリーンプリンティング法で形成することができる。
【００５１】
このように、比較的に簡素な工程でランプ本体７６０の背面に冷点部７６３を付着形成することができるため、平板蛍光ランプ７６の生産性を低下させずに安定性及び耐久性を向上させることができる。
【００５２】
[第２実施形態]
図３を参照して、本発明の第２実施形態に係る平板蛍光ランプについて詳細に説明する。図３は、本発明の第２実施形態に係る平板蛍光ランプ７６の背面を示したものである。
【００５３】
図３に示したように、冷点部７６４はランプ本体７６０、つまり、光源用背面基板７６２の図正面左側の第１側面ａまたは図面正面右側である第２側面ｂに近くなるにつれて間隔が狭く配置され、遠ざかるにつれて間隔が広く配置される。
【００５４】
このように冷点部７６４を配置する理由は、ランプ本体７６０の第１側面ａまたは第２側面ｂに形成された電極７６８から多くの熱が発生するため、第１側面ａまたは第２側面（ｂ）に近いほど冷点部７６４を稠密に配置してランプ本体７６０の全体的な内部温度を効果的かつ一層均一に調節することができる。
【００５５】
従って、平板蛍光ランプ７６の作動時にランプ本体７６０内部の水銀分布をさらに均等に維持することができる。この結果、平板蛍光ランプ７６の暗部及びピンク化現象の発生をさらに効果的に抑制することができる。
【００５６】
[第３実施形態]
図４を参照して本発明の第３実施形態に係る平板蛍光ランプについて詳細に説明する。図４は本発明の第３実施形態に係る平板蛍光ランプ７６の背面を示したものである。
【００５７】
図４に示したように、冷点部７６５は光源用背面基板７６２の第３側面ｃから予め設定された距離内にだけ形成される。ここで、予め設定された距離は、第３側面ｃから第４側面ｄまでの長さの１／２〜１１／１２である。つまり、ランプ本体７６０下部の一部のチャンネル部７６１１に対応しては光源用背面基板７６２の背面に冷点部７６５が付着されていない。また、予め設定された距離を、第３側面ｃから第４側面ｄまでの長さの１／１２〜１／２に変更することができる。
【００５８】
このように、一般に立たせた状態で使用される平板蛍光ランプ７６において、平板蛍光ランプ７６下部は平板蛍光ランプ７６の上部と比較して相対的に低温であるため、平板蛍光ランプ７６の上部にだけ冷点部７６５を配置して前記上部及び前記下部間の温度偏差を効果的に減らすことができる。
【００５９】
従って、平板蛍光ランプ７６の作動時にランプ本体７６０内部の水銀分布をさらに均一に維持することができる。この結果、平板蛍光ランプ７６の暗部及びピンク化現象の発生をさらに効果的に抑制することができる。
【００６０】
[第４実施形態]
図５を参照して本発明の第４実施形態に係る平板蛍光ランプについて詳細に説明する。図５は本発明の第４実施形態に係る平板蛍光ランプ７６の背面を示したものである。
【００６１】
図５に示したように、冷点部７６６はそれぞれのチャンネル部７６１１に対応して配置される数が多様に形成することができる。つまり、複数のチャンネル部７６１１の中で第３側面ｃから予め設定された距離に位置したチャンネル部７６１１に対応して配置された冷点部７６６の数が最も多く、予め設定された距離に位置したチャンネル部７６１１から遠ざかるほど一つのチャンネル部７６１１に対応して配置された冷点部７６６の数が次第に（段階的に）減少する。ここで、予め設定された長さは、第３側面ｃから第４側面ｄまでの長さの１／４〜２／５である。つまり、ランプ本体７６０の上部から下部に１／３程度の所に位置したチャンネル部７６１１に対応して、光源用背面基板７６２の背面に冷点部７６６が最も多く配置され、チャンネル部７６１１から遠ざかるほどチャンネル部７６１１に対応して配置された冷点部７６６の数が次第に減少する。
【００６２】
一般に立たせた状態で使用される平板蛍光ランプ７６は、熱の移動によって上部へ行くほど温度が上がるが、第３側面と近い部分、つまり、最上部のチャンネル部７６１１は、外部への熱放出が比較的に円滑であり、第３側面ｃから第４側面ｄまでの１／３程度の部分に位置したチャンネル部７６１１が最も高い温度を持つようになる。
【００６３】
従って、本発明の第４実施形態に係る平板蛍光ランプ７６のように、最も高い温度を有するチャンネル部７６１１に対応して冷点部７６６を最も多く配置して、最も高い温度を有するチャンネル部７６１１から遠くなるほど冷点部７６６の数を次第に減らすように配置することによって、ランプ本体７６０内部の全体的な温度偏差をより効果的に減らすことができる。
【００６４】
また、図５に示したように、第１側面ａ及び第２側面ｂに近いほど冷点部７６６を稠密に配置して、下部の一部チャンネル部７６１１には冷点部７６６の配置を省略することができる。この結果、冷点部７６６によるランプ本体７６０内部の温度調節効果を極大化することができ、平板蛍光ランプ７６の作動時にランプ本体７６０内部の水銀分布を最も効果的に均一に維持することができる。
【００６５】
以上、第１実施形態〜第４実施形態に分けて本発明に係る平板蛍光ランプについて説明したが、本発明がこれらの実施形態に限定されることなく、多様な形態に変更して実施することができる。また、それぞれの実施形態が組み合わせられた形態に変更して実施することもできる。なお、上記で説明した各実施形態に係る平板蛍光ランプを適用させた表示装置を実施することも、もちろん可能である。
【００６６】
次に、上記に説明した本発明に係る平板蛍光ランプを備えた表示装置について詳細に説明する。
【００６７】
図６は、本発明の各実施形態に係る平板蛍光ランプ７６を備えた表示装置１００を示したものである。図６には表示装置１００に用いられた表示パネル５０を例として液晶表示パネルを挙げて示したが、これは単に本発明を例示したものであり、本発明はこれに限定されない。従って、他の種類の受光型表示パネルを用いることができる。
【００６８】
図６に示したように、表示装置１００は光を多く供給するバックライトアセンブリー７０と光の提供を受けて画像を表示する表示パネル５０を含む。その他、表示装置１００は、表示パネル５０をはじめとする各部品を収納固定するための収納部材６０、７１、７５を含み、その他、表示装置に必要な部材をさらに含むことができる。ここで、収納部材はバックライトアセンブリー７０を構成する第１収納部材７１及び第２収納部材７５と、表示パネル５０をバックライトアセンブリー７０上に固定支持する第３収納部材６０とを含む。また、図６には第１収納部材７１と第２収納部材７５を全て用いることを示したが、これは単に本発明を例示したものであり、本発明はこれに限定されることはない。従って、第１収納部材７１及び第２収納部材７５の中で少なくとも一つの収納部材のみを用いれば良い。
【００６９】
また、表示装置１００は表示パネル５０に駆動信号を供給する印刷回路基板（ＰＣＢ）４１、４２及び印刷回路基板４１、４２と表示パネル５０を電気的に連結する駆動ＩＣパッケージ４３、４４とをさらに含む。駆動ＩＣパッケージ４３、４４は、ＣＯＦ（ｃｈｉｐ  ｏｎ  ｆｉｌｍ）またはＴＣＰ（ｔａｐｅ  ｃａｒｒｉｅｒ  ｐａｃｋａｇｅ）として形成することができる。また、印刷回路基板はゲート印刷回路基板４１及びデータ印刷回路基板４２を含み、駆動ＩＣパッケージは表示パネル５０とゲート印刷回路基板４１を連結するゲート駆動ＩＣパッケージ４３と、表示パネル５０とデータ印刷回路基板４２を連結するデータ駆動ＩＣパッケージ４４を含む。
【００７０】
バックライトアセンブリー７０は、光を供給する平板蛍光ランプ７６、平板蛍光ランプ７６から射出する光の輝度特性を確保するためのプリズム部材７４及び拡散部材７２と、これら部品を収納して固定支持する第１収納部材７１及び第２収納部材７５とを含む。また、バックライトアセンブリー７０は、平板蛍光ランプ７６の背面に設置されて光を反射する反射部材７８をさらに含むことができる。
【００７１】
プリズム部材７４は平板蛍光ランプ７６から出射した光が垂直に進むことができるようにして輝度を向上させ、拡散部材７２は表示パネル５０へ向かう光が部分的に密集して表示パネル５０に染みが発生しないように光をさらに拡散して光の均一性を向上させる。ここで、本発明に係る表示装置では、平板蛍光ランプ７６から出射した光の輝度特性を確保するためにプリズム部材７４と拡散部材７２を用いるが、表示装置１００の種類によっては、プリズム部材７４の代わりに拡散板を用いることもできる。
【００７２】
表示パネル５０は、第１表示板５１及び第１表示板５１と対向して配置された第２表示板５３を含む。第１表示板５１と第２表示板５３との間には、液晶層５２（図８参照）が介在される。ここで、第１表示板５１は背面基板、第２表示板５３は前面基板となり、第１表示板５１に駆動ＩＣパッケージ４３、４４が連結される。ゲート駆動ＩＣパッケージ４３は、第１表示板５１の一側周縁部に付着されて、ゲート駆動ＩＣパッケージ４３は、ゲート駆動部４００（図７参照）を構成する集積回路チップ４３１を含む。データ駆動ＩＣパッケージ４４は、第１表示板５１の他側周縁部に付着されて、データ駆動ＩＣパッケージ４４はデータ駆動部５００及び階調電圧生成部８００（図７参照）を構成する集積回路チップ４４１を含む。
【００７３】
図７及び図８を参照して、表示パネル５０及びこれを駆動させるための構成について詳細に説明する。
【００７４】
図７及び図８に示したように、第１表示板５１は複数の信号ラインＧ１−Ｇｎ、Ｄ１−Ｄｍを含み、第１表示板５１及び第２表示板５３は信号ラインＧ１−Ｇｎ、Ｄ１−Ｄｍに連結されて行列状に配置された複数の画素（ｐｉｘｅｌ）を含む。
【００７５】
信号ラインＧ１−Ｇｎ、Ｄ１−Ｄｍは、ゲート信号（‘走査信号’とも称する）を伝達する複数のゲートラインＧ１−Ｇｎとデータ信号を伝達するデータラインＤ１−Ｄｍを含む。ゲートラインＧ１−Ｇｎは、行方向に延びて互いに平行し、データラインＤ１−Ｄｍは列方向に延びて互いに平行する。
【００７６】
各画素は信号ラインＧ１−Ｇｎ、Ｄ１−Ｄｍに連結されたスイッチング素子Ｑとこれに連結された液晶キャパシタＣＬＣ及びストレージキャパシタＣＳＴを含む。ストレージキャパシタＣＳＴは必要なければ省略することができる。
【００７７】
スイッチング素子Ｑとしては、例えば、薄膜トランジスタであり、これは第１表示板５１に形成される。薄膜トランジスタは、三端子素子としてその制御端子及び入力端子はそれぞれゲートラインＧ１−Ｇｎ及びデータラインＤ１−Ｄｍに連結されており、出力端子は液晶キャパシタＣＬＣ及びストレージキャパシタＣＳＴに連結されている。
【００７８】
信号制御部６００は、ゲート駆動部４００及びデータ駆動部５００のを制御するものである。
【００７９】
ゲート駆動部４００はゲートオン電圧Ｖｏｎとゲートオフ電圧Ｖｏｆｆの組み合わせで構成されるゲート信号をゲートラインＧ１−Ｇｎに印加し、データ駆動部５００はデータ電圧をデータラインＤ１−Ｄｍに印加するものである。
【００８０】
階調電圧生成部８００は、画素の透過率と関連する二組の複数の階調電圧を生成して、データ電圧としてデータ駆動部５００に提供する。二組のうちの一組は、共通電圧Ｖｃｏｍに対して正の値を有し他の一組は負の値を有する。
【００８１】
図８に示したように、液晶キャパシタＣＬＣは第１表示板５１の画素電極５１８と第２表示板５３の共通電極５３９を二つの端子とし、画素電極５１８と共通５３９との間の液晶層５２は誘電体として機能する。画素電極５１８はスイッチング素子Ｑに連結され、共通電極５３９は第２表示板５３の全面にわたって形成され、共通電圧Ｖｃｏｍを印加する。図８とは異なり、共通電極５３９が第１表示板５１に備えられる場合もあり、この時には二つの電極である画素電極５１８及び共通５３９のうちの少なくとも一つが線状または棒状に形成することができる。また、第２表示板５３上には透過する光に色を与えるカラーフィルター５３５が形成される。図８と異なり、カラーフィルター５３５も第１表示板５１上に形成することができる。
【００８２】
液晶キャパシタＣＬＣの補助的役割を果たすストレージキャパシタＣＳＴは、第１表示板５１に備えた別の信号ライン（図示せず）と画素電極５１８が絶縁体を間に置いて重ねられて構成され、この別の信号ラインには共通電圧Ｖｃｏｍなどの決められた電圧が印加される。しかし、ストレージキャパシタＣＳＴは画素電極５１８が絶縁体を媒介として、図中、直ぐ上の前段ゲートライン（画素行がＧｉゲート線対応ならば、前段はＧｉ−１）と重なって構成することができる。
【００８３】
表示パネル５０の両基板５１、５３のうちの少なくとも一つの外側面には光を偏光させる偏光子（図示せず）が付着されている。
【００８４】
このような構成によって、スイッチング素子である薄膜トランジスタが導通されると、画素電極５１８と共通電極５３９の間に電界が形成される。このような電界によって第１表示板５１と第２表示板５３との間に形成された液晶層５２の液晶の配列角度が変化し、光透過度を変更させることによって所望の画像を得ることができる。
【００８５】
以上、本発明について説明したが、本発明の範囲を逸脱しない限り、多様な修正及び変形が可能である。
【産業上の利用可能性】
【００８６】
本発明は表示装置に関する技術分野に有用である。
【図面の簡単な説明】
【００８７】
【図１】本発明の第１実施形態に係る平板蛍光ランプの斜視図である。
【図２】図１の平板蛍光ランプの背面を示した平面図である。
【図３】本発明の第２実施形態に係る平板蛍光ランプの背面を示した平面図である。
【図４】本発明の第３実施形態に係る平板蛍光ランプの背面を示した平面図である。
【図５】本発明の第４実施形態に係る平板蛍光ランプの背面を示した平面図である。
【図６】図１の平板蛍光ランプを含んだ表示装置の分解斜視図である。
【図７】図６の表示装置の表示パネル及びこれを駆動する構成のブロック図である。
【図８】図７の表示パネルの一つの画素に対する等価回路図である。
【符号の説明】
【００８８】
７６    平板蛍光ランプ、
７６０    ランプ本体、
７６８    電極、
７６３，７６４，７６５，７６６    冷点部、
７６１１    チャンネル部、
７６１２    隔壁部、
７６１    光源用前面基板、
７６２    光源用背面基板、
１００    表示装置、
５０      表示パネル、
７０    バックライトアセンブリー、
６０、７１、７５    収納部材、
４１、４２    印刷回路基板、
４３、４４    駆動ＩＣパッケージ、
７４    プリズム部材、
７２    拡散部材、
７８    反射部材、
５１、５３    表示板、
５２    液晶層、
４００    ゲート駆動部、
５００    データ駆動部、
８００    階調電圧生成部、
４３１    集積回路チップ、
５１８    画素電極、
５３９    共通電極、
５３５    カラーフィルター。
【図１】
2007220657.tif 000003
【図２】
2007220657.tif 000004
【図３】
2007220657.tif 000005
【図４】
2007220657.tif 000006
【図５】
2007220657.tif 000007
【図６】
2007220657.tif 000008
【図７】
2007220657.tif 000009
【図８】
2007220657.tif 000010